(57)【特許請求の範囲】
【請求項１】
患者が動くこと又は前記患者の動作で、クリップが引かれ、クリップに繋がった電極付バーがバー挿入口から抜けるか、電極付バーがバー挿入口から抜けずに、前記クリップが外れるか、外されることを検出するクリップ式離床センサであって、
スイッチ回路体とバー患者連結具を備え、前記バー患者連結具は、装着している衣服等の患者の装着物を挟み取り付けるクリップと電極付バーと導電ワイヤとを備え、
前記クリップは、前記装着物を挟むための第二平板と第一平板を備えた挟み部を有するクリップ体と、第二平板と第一平板に第一の対の電極を備え、前記クリップの前記装着物への装着、又は前記装着物からの外れにより、第二平板と第一平板、従って第一の対の電極の電極間が拡縮することで、第一の対の電極の電極間の電気的導通・非導通状態、または第一の対の電極の電極間の静電容量の大小状態、または、第二平板と第一平板の間隔が拡縮することで、第二平板と第一平板のそれぞれ取り付けた磁石と磁気センサにより、前記磁気センサの検出出力の大小状態、が変わるものであり、
前記電極付バーは、平板状又は棒状の電気絶縁体のバーに電極の間隔は固定的かつ互いに絶縁した第二の対の電極を備え、
前記導電ワイヤは、第一の対の電極と第二の対の電極とを各々電気的に接続し、
前記スイッチ回路体は、検出回路とこれを収納する箱型の筐体と、前記筐体上に設けられ前記電極付バーを挿入又は抜去するためのバー挿入口を備え、前記検出回路は、検出スイッチと警報器に接続するための第一コネクタとを備え、
前記検出スイッチは、前記電極付バーの挿入又は抜去により可動し、接近又は接触又は離間する２枚の板と前記板上に第三の対の電極を備え、第三の対の電極の電極間が拡縮することで、電気的導通・非導通、または静電容量、または磁気量、の状態が変わるものであり、
前記バー挿入口の前記筐体上の位置は、前記電極付バーを挿入した際に前記検出スイッチの第三の対の電極の間が拡縮するように当接する位置にあり、
前記バー挿入口から前記電極付バーを抜去状態では、前記検出スイッチにおいて、第三の対の電極間の「バー抜け」に対応した拡縮による電気的状態の検出を可能とし、前記バー挿入口への前記電極付バーの挿入状態では、第二の対の電極が前記検出スイッチの第三の対の電極に各々電気的に接続するように、第二の対の電極と第三の対の電極は雄雌の関係にあることで、第二の対の電極に繋がった第一の対の電極の電気的状態の検出を可能としたことを特徴とする電極付バーを備えたクリップ式患者動き検出装置。
【請求項２】
前記検出スイッチは、前記電極付バーを前記バー挿入口に挿抜することで、第三の対の電極が接近又は離間するよう可動自在にし、その結果、第三の対の電極が電気的導通又は非導通になるようにし、前記クリップの第一の対の電極も患者に取り付け状態、外した状態又は取り付け状態から引き抜け状態に応じて電気的非導通又は導通になるようにしたことを特徴とする請求項１記載の電極付バーを備えたクリップ式患者動き検出装置。
【請求項３】
前記検出スイッチは、前記電極付バーを前記バー挿入口に挿抜することで、前記第三の対の電極が接近又は離間するよう可動自在にし、その結果これらの第三の対の電極間の静電容量が変わるようにし、前記クリップの第一の対の電極も患者に取り付け状態、外した状態又は取り付け状態から引き抜け状態に応じて静電容量が変わるようにしたことを特徴とする請求項１記載の電極付バーを備えたクリップ式患者動き検出装置。
【請求項４】
前記クリップは、第一平板と、第一平板の長手方向の略中間位置に立ち上がって取りついた係止片と、前記係止片に回転軸をもって回転自在に取りついた第二平板と、第一平板と第二平板の端に接続し各々互いに向き合って配置された突起体と、前記突起体の向き合った各面に配置された対になる電極である挟み部電極と、第一平板の表面に配置された電極である第一平板電極と、第二平板に繋がった前記突起体上の前記挟み部電極に接続し、前記係止片を超えて伸び、略先端部が第一の平板電極に接近して配置した電極である延伸電極と、前記係止片に回転自在に取りついたツマミ片と、を備え、
前記第一平板に接続した前記突起体上の前記挟み部電極は、第一平板電極に接続し、一方の前記挟み部電極に繋がった前記延伸電極と、他方の前記挟み部電極に繋がった第一平板電極とで第一の対の電極となし、
前記ツマミ片は、前記係止片の前記回転軸に対して反対側の端は突出し、第二平板に接触した突出部を有し、
前記突出部が第二平板を押し回転する方向に前記ツマミ片を回転した場合には、前記突起体が互いに接近し、前記装着物を挟み、および、前記延伸電極の略先端部は第一平板電極から離れた状態となり、前記装着物の挟みがある場合は、電気絶縁性の前記装着物の介在により前記挟み部電極間が非導通状態となり、故意に前記装着物を引き抜いて外した場合は、前記挟み部電極間が導通状態となり、
故意に外すべく前記ツマミ片の回転を戻した場合には、前記突出部が第二平板を押すことがなくなって、第二平板の回転が戻り、前記突起体が互いに離間し、前記装着物の挟みを外し、および、前記延伸電極の略先端部は第一平板電極に接触し導通状態となることを特徴とする請求項２記載の電極付バーを備えたクリップ式患者動き検出装置に使用するクリップ。
【請求項５】
前記クリップは、第一平板と、第一平板の長手方向の略中間位置に立ち上がって取りついた係止片と、前記係止片に回転軸をもって回転自在に取りついた第二平板と、第一平板と第二平板の端に接続し各々互いに向き合って配置された突起体と、前記突起体の向き合った各面に配置された対になる電極である挟み部電極と、第一平板の表面に配置された電極である第一平板電極と、第二平板に繋がった前記突起体上の前記挟み部電極に接続し、前記係止片を超えて伸び、略先端部が第一の平板電極に接近して配置した電極である延伸電極と、前記係止片に回転自在に取りついたツマミ片と、を備え、
前記第一平板に接続した前記突起体上の前記挟み部電極は、第一平板電極に接続し、一方の前記挟み部電極に繋がった前記延伸電極と、他方の前記挟み部電極に繋がった第一平板電極とで第一の対の電極となし、
前記ツマミ片は、前記係止片の前記回転軸に対して反対側の端は突出し、第二平板に接触した突出部を有し、
前記突出部が第二平板を押し回転する方向に前記ツマミ片を回転した場合には、前記突起体が互いに接近し、前記装着物を挟み、および、前記延伸電極の略先端部は第一平板電極から離れ、前記延伸電極と第一平板電極間の静電容量は小さい状態となり、前記装着物の挟みがある場合は、電気絶縁性の前記装着物の介在により前記挟み部電極間が広がって、前記挟み部電極間の静電容量が小さい状態となり、故意に前記装着物を引き抜いて外した場合は、前記挟み部電極間が狭まって、前記挟み部電極間の静電容量が大きくなり、
故意に外すべく前記ツマミ片の回転を戻した場合には、前記突出部が第二平板を押すことがなくなって、第二平板の回転が戻り、前記突起体が互いに離間し、前記装着物の挟みを外し、同時に、前記挟み部電極間の静電容量が小さくなり、および、前記延伸電極の略先端部は第一平板電極に接近状態となり、前記延伸電極の略先端部と第一平板電極間の静電容量が大きくなり、
第一の対の電極間の静電容量が、前記挟み部電極間の静電容量と前記延伸電極と第一平板電極間の静電容量の並列であり、両者の和となることから、
前記突出部が第二平板を押し回転する方向に前記ツマミ片を回転した場合で、前記突起体が互いに接近し、前記延伸電極の略先端部が第一平板電極から離れていて、
前記装着物を挟んだ正常な状態の第一の対の電極間の静電容量に比べて、前記装着物を故意に引き抜いた異常な状態の第一の対の電極間の静電容量、及び、故意に外すべく前記ツマミ片の回転を戻した場合で、前記突起体が互いに離間し、前記延伸電極の略先端部が第一平板電極に接近している状態の第一の対の電極間の静電容量、とが大きくなることを特徴とする請求項３記載の電極付バーを備えたクリップ式患者動き検出装置に使用するクリップ。
【請求項６】
第一の対の電極を有する請求項４又は請求項５に記載の前記クリップと第一の対の電極に各々電気的に接続した前記第二の対の電極を備えた平板状又は棒状の電気絶縁体のバーである前記電極付バーを有することを特徴とする請求項１から請求項３のいずれか一つに記載の電極付バーを備えたクリップ式患者動き検出装置に使用するクリップ・電極付バー集合体。
【発明の詳細な説明】
【技術分野】
【０００１】
本発明は、病院や介護施設等で通常では動くことが危険な患者等が動いたことを検出し、ナースコール等に連動して報知するための、電極付バーを備えたクリップ式患者動き検出装置、クリップ及びクリップ・電極付バー集合体に関するものである。
【背景技術】
【０００２】
従来の患者動き検出装置は本発明の出願人による特許文献１に記述されているが、図５に示す。これらの図において、患者が動くと患者に取り付けられたクリップの紐が引かれ、バー５０１が抜けることで、検出回路の検出スイッチの電極間が接触して検出する仕組みになっている。特許文献１の発明を表した図５の５−Ａにおいて、ナースコール装置の子機である患者動き検出装置５００は、スイッチ回路体５１０とバー患者連結具５２０から成っている。バー患者連結具５２０は、患者の衣服等に付けるクリップ５２１とこれとバー５０１を結ぶ紐５２２から成り、バー５０１は、図５の５−Ｃの如く、挿入又は引抜がなされる板状体または棒状体である。
図５のスイッチ回路体５１０は、検出回路とこれを収納する箱である筐体５１１と、筐体５１１の面にバー５０１を出し入れするバー挿入口５１２があり、ここにバー５０１を入れると検出スイッチ５１３がこの例は電気的非導通（導通に構成も可能）に、引き出すと逆に電気的導通（非導通に構成も可能）になる。この検出スイッチ５１３に直列にこの回路が使用しない状態において回路を切っておくためのメインスイッチ５１４があって、筐体５１１の表面に手動の操作部が配置されている。更に、図のように検出スイッチ５１３とメインスイッチ５１４を含む両端の電極は、第一コネクタ５１５として外部に導出され、親機のナースコール等へ至る回路に接続していて、検出スイッチ５１３の電気的非導通・導通状態を検出し警報を鳴らすようになっている。
【０００３】
そして、クリップ５２１が外れた場合や患者が外してしまう場合も検出できるように、クリップ５２１に電極を付け、クリップ５２１から導電ワイヤ５２３を、検出装置５００に内蔵したバー５０１の挿入・引き抜きに連動して動作する検出スイッチ５１３に並列（又は直列）に接続して、バー５０１の引き抜きでは、検出スイッチ５１３が導通（または非導通）し、バー５０１の挿入状態において、クリップ５２１の外れに対応しては、並列の接続回路でクリップ５２１の両電極の電気的導通・非導通を検出可能なように、クリップ５２１に接続したバー５０１までの紐５２２より、クリップ５２１から並列の接続点または検出装置５００の筐体５１１に付けた第二コネクタ５１６までの導電ワイヤ５２３の長さを実質的に長く構成することでクリップ５２１の外れの検出も可能にしている。
バー５０１と検出スイッチ５１３の動作に関しては、５―Ｂに図示されている。上下の2枚の板５１７（バー５０１が棒状態では筒状の内外で電極があるのがよい）が適当な隙間を有して存在し、これがばね板５１８に支えられている。隙間にバー５０１を挿入した状態では、バー５０１に板５１７が押し広げられて隙間が拡大し、板５１７に付いた対の電極５１９が離れて電気的非導通の状態にある。これが下に示す状態である。上に示すようにバー５０１を引き出すと、ばね板５１８の復元により板５１７の隙間が狭まって対の電極５１９が接触して電気的導通の状態となる。対の電極５１９は、検出スイッチ５１３の二つの電極（端子）に対応している。従って、対の電極５１９は、１つは、５−Ａの第一コネクタ５１５へ接続し、他方は、メインスイッチ５１４に接続している。尚、図５では、対の電極は１つで区別する必要がなかったが、図１等では複数あるため、名称区別していて、図５の対の電極５１９は、図１では、第三の対の電極１０２に対応している。
【０００４】
このような患者動き検出装置において、装置に挿入され引き抜きを検出する図５の前記バー５０１はこの図のように板状体または棒状体であり、また導電ワイヤ５２３を通すための穴状その他の結節部５０２を有している。導電ワイヤ５２３またはこれに繋がる紐を通すまたは結びつけられる穴が適当であるが、必ずしもこれにこだわらない。例えば結節するためのリングや突起などでもよい。
【０００５】
ここで、上記の患者動き検出装置は、バー５０１の引き抜きと、クリップの外れの両方に対応できるものであるが、筐体に第二コネクタ５１６の追加が必要になる他、バー５０１周辺に導電ワイヤや紐があり、コードの類が多いため、医療・看護・介護の現場で使用するには、これらの余分なものを排除した装置の簡略化が望ましいといえる。
尚、クリップについては、図３に示すものの原型といえる電極付クリップを本出願人は特許文献２において出願を行っている。
【０００６】
上記背景から、バー５０１の引き抜きと、クリップの外れの両方に対応できる患者動き検出装置の簡略化が望まれており、本発明は、当該装置のために用いる電極付バーを備えたクリップ式患者動き検出装置を提案するものである。
【先行技術文献】
【特許文献】
【０００７】
【特許文献１】特願２０１１−２１６０２１
【特許文献２】特願２０１１−２１５９３２
【発明の概要】
【発明が解決しようとする課題】
【０００８】
本発明の課題は、ナースコール装置等の患者監視警報装置の子機である患者動き検出装置において、従来技術よりも簡単な構造で患者の動きを確実に検出するための、電極付バーを備えたクリップ式患者動き検出装置を提供することである。
【課題を解決するための手段】
【０００９】
本発明の電極付バーを備えたクリップ式患者動き検出装置は、患者の衣服等の電気絶縁性の装着物に取り付けるクリップとこれに付いた電極付バーと、バー挿入口と電極付バーの挿抜で状態が変わる検出スイッチを備えた検出回路とを備えたクリップ式患者動き検出装置において、クリップ自体は、その開閉又は外れにより導通／非導通状態が変わる第一の対の電極を備え、電極付バーは第一の対の電極にそれぞれ接続した第二の対の電極を備え、バー挿入口から電極付バーを抜去状態では、検出スイッチが「電極付バー抜け」に対応する電気的状態を示し、バー挿入口への電極付バーの挿入状態では、
第二の対の電極が検出スイッチの第三の対の電極に接続しているので、第二の対の電極に繋がった第一の対の電極の電気的状態により検出出力が決まるようにしたものである。
【００１０】
請求項１記載の発明は、電極付バーを備えたクリップ式患者動き検出装置は、患者が動くこと又は前記患者の動作で、クリップが引かれ、クリップに繋がった電極付バーがバー挿入口から抜けか、電極付バーがバー挿入口から抜けずに、前記クリップが外れるか、外されることを検出するクリップ式離床センサであって、
スイッチ回路体とバー患者連結具を備え、前記バー患者連結具は、装着している衣服等の患者の装着物を挟み取り付けるクリップと電極付バーと導電ワイヤとを備え、
前記クリップは、前記装着物を挟むための第二平板と第一平板を備えた挟み部を有するクリップ体と、第二平板と第一平板に第一の対の電極を備え、前記クリップの前記装着物への装着、又は前記装着物からの外れにより、第二平板と第一平板、従って第一の対の電極の電極間が拡縮することで、第一の対の電極の電極間の電気的導通・非導通状態、または第一の対の電極の電極間の静電容量の大小状態、または、第二平板と第一平板の間隔が拡縮することで、第二平板と第一平板のそれぞれ取り付けた磁石と磁気センサにより、前記磁気センサの検出出力の大小状態が変わるものであり、
前記電極付バーは、平板状又は棒状の電気絶縁体のバーに電極の間隔が固定的かつ互いに絶縁した第二の対の電極を備え、
前記導電ワイヤは、第一の対の電極と第二の対の電極とを各々電気的に接続し、
前記スイッチ回路体は、検出回路とこれを収納する箱型の筐体と、前記筐体上に設けられ前記電極付バーを挿入又は抜去するためのバー挿入口を備え、前記検出回路は、検出スイッチと警報器に接続するための第一コネクタとを備え、
前記検出スイッチは、前記電極付バーの挿入又は抜去により可動し、接近又は接触又は離間する２枚の板と前記板上に第三の対の電極を備え、第三の対の電極の電極間が拡縮することで、電気的導通・非導通、または静電容量、または磁気量、の状態が変わるものであり、
前記バー挿入口の前記筐体上の位置は、前記電極付バーを挿入した際に前記検出スイッチの第三の対の電極の間が拡縮するように当接する位置にあり、
前記バー挿入口から前記電極付バーを抜去状態では、前記検出スイッチにおいて、第三の対の電極間の「バー抜け」に対応した拡縮による電気的状態の検出を可能とし、前記バー挿入口への前記電極付バーの挿入状態では、第二の対の電極が前記検出スイッチの第三の対の電極に各々電気的に接続するように、第二の対の電極と第三の対の電極は雄雌の関係にあることで、第二の対の電極に繋がった第一の対の電極の電気的状態の検出を可能としたことを特徴とする。
【００１１】
請求項２記載の発明は、請求項１記載の電極付バーを備えたクリップ式患者動き検出装置において、前記検出スイッチは、前記電極付バーを前記バー挿入口に挿抜することで、第三の対の電極が接近又は離間するよう可動自在にし、その結果、第三の対の電極が電気的導通又は非導通になるようにし、前記クリップの第一の対の電極も患者に取り付け状態、外した状態又は取り付け状態から引き抜け状態に応じて電気的非導通又は導通になるようにしたことを特徴とする。
【００１２】
請求項３記載の発明は、請求項１記載の電極付バーを備えたクリップ式患者動き検出装置において、前記検出スイッチは、前記電極付バーを前記バー挿入口に挿抜することで、前記第三の対の電極が接近又は離間するよう可動自在にし、その結果これらの第三の対の電極間の静電容量が変わるようにし、前記クリップの第一の対の電極も患者に取り付け状態、外した状態又は取り付け状態から引き抜け状態に応じて静電容量が変わるようにしたことを特徴とする。
【００１３】
請求項４記載の発明は、請求項２記載の電極付バーを備えたクリップ式患者動き検出装置に使用するクリップにおいて、
前記クリップは、第一平板と、第一平板の長手方向の略中間位置に立ち上がって取りついた係止片と、前記係止片に回転軸をもって回転自在に取りついた第二平板と、第一平板と第二平板の端に接続し各々互いに向き合って配置された突起体と、前記突起体の向き合った各面に配置された対になる電極である挟み部電極と、第一平板の表面に配置された電極である第一平板電極と、第二平板に繋がった前記突起体上の前記挟み部電極に接続し、前記係止片を超えて伸び、略先端部が第一の平板電極に接近して配置した電極である延伸電極と、前記係止片に回転自在に取りついたツマミ片と、を備え、
前記第一平板に接続した前記突起体上の前記挟み部電極は、第一平板電極に接続し、一方の前記挟み部電極に繋がった前記延伸電極と、他方の前記挟み部電極に繋がった第一平板電極とで第一の対の電極となし、
前記ツマミ片は、前記係止片の前記回転軸に対して反対側の端は突出し、第二平板に接触した突出部を有し、
前記突出部が第二平板を押し回転する方向に前記ツマミ片を回転した場合には、前記突起体が互いに接近し、前記装着物を挟み、および、前記延伸電極の略先端部は第一平板電極から離れた状態となり、前記装着物の挟みがある場合は、電気絶縁性の前記装着物の介在により前記挟み部電極間が非導通状態となり、故意に前記装着物を引き抜いて外した場合は、前記挟み部電極間が導通状態となり、
故意に外すべく前記ツマミ片の回転を戻した場合には、前記突出部が第二平板を押すことがなくなって、第二平板の回転が戻り、前記突起体が互いに離間し、前記装着物の挟みを外し、および、前記延伸電極の略先端部は第一平板電極に接触し導通状態となることを特徴とする。
【００１４】
請求項５記載の発明は、請求項３記載の電極付バーを備えたクリップ式患者動き検出装置に使用するクリップにおいて、前記クリップは、第一平板と、第一平板の長手方向の略中間位置に立ち上がって取りついた係止片と、前記係止片に回転軸をもって回転自在に取りついた第二平板と、第一平板と第二平板の端に接続し各々互いに向き合って配置された突起体と、前記突起体の向き合った各面に配置された対になる電極である挟み部電極と、第一平板の表面に配置された電極である第一平板電極と、第二平板に繋がった前記突起体上の前記挟み部電極に接続し、前記係止片を超えて伸び、略先端部が第一の平板電極に接近して配置した電極である延伸電極と、前記係止片に回転自在に取りついたツマミ片と、を備え、
前記第一平板に接続した前記突起体上の前記挟み部電極は、第一平板電極に接続し、一方の前記挟み部電極に繋がった前記延伸電極と、他方の前記挟み部電極に繋がった第一平板電極とで第一の対の電極となし、
前記ツマミ片は、前記係止片の前記回転軸に対して反対側の端は突出し、第二平板に接触した突出部を有し、
前記突出部が第二平板を押し回転する方向に前記ツマミ片を回転した場合には、前記突起体が互いに接近し、前記装着物を挟み、および、前記延伸電極の略先端部は第一平板電極から離れ、前記延伸電極と第一平板電極間の静電容量は小さい状態となり、前記装着物の挟みがある場合は、電気絶縁性の前記装着物の介在により前記挟み部電極間が広がって、前記挟み部電極間の静電容量が小さい状態となり、故意に前記装着物を引き抜いて外した場合は、前記挟み部電極間が狭まって、前記挟み部電極間の静電容量が大きくなり、
故意に外すべく前記ツマミ片の回転を戻した場合には、前記突出部が第二平板を押すことがなくなって、第二平板の回転が戻り、前記突起体が互いに離間し、前記装着物の挟みを外し、同時に、前記挟み部電極間の静電容量が小さくなり、および、前記延伸電極の略先端部は第一平板電極に接近状態となり、前記延伸電極の略先端部と第一平板電極間の静電容量が大きくなり、
第一の対の電極間の静電容量が、前記挟み部電極間の静電容量と前記延伸電極と第一平板電極間の静電容量の並列であり、両者の和となることから、
前記突出部が第二平板を押し回転する方向に前記ツマミ片を回転した場合で、前記突起体が互いに接近し、前記延伸電極の略先端部が第一平板電極から離れていて、
前記装着物を挟んだ正常な状態の第一の対の電極間の静電容量に比べて、前記装着物を故意に引き抜いた異常な状態の第一の対の電極間の静電容量、及び、故意に外すべく前記ツマミ片の回転を戻した場合で、前記突起体が互いに離間し、前記延伸電極の略先端部が第一平板電極に接近している状態の第一の対の電極間の静電容量、とが大きくなることを特徴とする。
【００１５】
請求項６記載の発明は、請求項１から請求項３のいずれか一つに記載の電極付バーを備えたクリップ式患者動き検出装置に使用するクリップ・電極付バー集合体であって、第一の対の電極を有する請求項４又は請求項５に記載の前記クリップと第一の対の電極に各々電気的に接続した前記第二の対の電極を備えた平板状又は棒状の電気絶縁体のバーである前記電極付バーを有することを特徴とする。
【発明の効果】
【００１６】
以上のように構成されているので、本発明の電極付バーを備えたクリップ式患者動き検出装置は、従来よりも簡単な構造で、患者動き検出装置の電極付バーの引き抜きとクリップの外れの両方の検出に対応でき、余分なコネクタを介したワイヤの接続も無く使いやすく、コネクタとの接続の緩みや接続の外れによる動作不良の恐れも無くなり、更に簡略なので製造コストも低減される利点がある。
【図面の簡単な説明】
【００１７】
【図１】本発明の電極付バーを備えたクリップ式患者動き検出装置の一実施態様を示す図である。
【図２】本発明の電極付バーを備えたクリップ式患者動き検出装置の電極付バーを示す図である。
【図３】患者動き検出装置に用いるクリップの例を示す図である。
【図４】本発明の電極付バーを備えたクリップ式患者動き検出装置の別の一実施態様を示す図である。
【図５】従来の患者動き検出装置を示す図である。
【発明を実施するための形態】
【００１８】
本発明の電極付バーを備えたクリップ式患者動き検出装置は、スイッチ回路体とバー患者連結具を備え、バー患者連結具は、装着している衣服等の患者の装着物に付けるクリップと電極付バーと導電ワイヤとを備え、
クリップは、装着物を挟むための第二平板と第一平板を備えた挟み部を有するクリップ体と、第二平板と第一平板に備えられ、その開閉又は装着物からの外れにより電気的導通・非導通（または、静電容量、磁気量）状態が変わる第一の対の電極を備え、
電極付バーは、平板状又は棒状の電気絶縁体のバーに電極間隔が固定かつ互いに電気絶縁した第二の対の電極を備え、
導電ワイヤは、第一の対の電極と第二の対の電極とを各々電気的に接続し、
スイッチ回路体は、検出回路とこれを収納する箱型の筐体と、筐体上に設けられ電極付バーを挿入又は抜去するためのバー挿入口を備え、検出回路は、検出スイッチと警報器に接続するための第一コネクタとを備え、
検出スイッチは、電極付バーの挿入又は抜去により可動し、接近（又は接触）又は離間する２枚の板と板上に備えた第三の対の電極を備え、
バー挿入口の筐体上の位置は、電極付バーを挿入した際に検出スイッチの第三の対の電極の間が拡縮するように当接する位置であり、
バー挿入口から電極付バーを抜去状態では、検出スイッチが「電極付バー抜け」に対応する電気的状態を示し、バー挿入口への電極付バーの挿入状態では、第二の対の電極が検出スイッチの第三の対の電極に各々電気的に接続して、第二の対の電極に繋がった第一の対の電極の電気的状態（装着又は外れに対応）に対応した検出が可能としたものである。
【００１９】
すなわち、電極付バーは、バー挿入口に挿入したときに、第二の対の電極と検出スイッチの有する第三の対の電極とが各々電気的に繋がって、電極付バーを介してクリップの第一の対の電極の使用状態に対応する電気的状態を検出可能としたものであり、反対に、電極付バーの抜去の状態では、電極付バーからクリップ側は検出スイッチ５１３からは回路的に切り離され、且つ、検出スイッチ５１３の状態は、所定の状態でない状態（検出スイッチの二つの端子間の第三の対の電極の間で短絡（逆に開放も可能））に変わる（警報出力がなされる状態）ものである。
前記検出スイッチ５１３は、５−Ｂの対の電極５１９のように第三の対の電極を有し、電極付バーが抜けた状態では、これらが接触導通し（離間・非導通にも構成可能）、電極付バーをバー挿入口から挿入した場合には、前記検出スイッチ５１３の第三の対の電極間を押し広げ、第三の対の電極間は非接触・電気的非導通（接触・導通にも構成可能）になるが、電極付バーの第二の対の電極と検出スイッチの第三の対の電極をそれぞれ接触させる。そのため、電極付バーの第二の対の電極に繋がるクリップ上の第一の対の電極の接触か非接触かを検出できる。
【００２０】
尚、前段落で（）書したように、電極付バーをバー挿入口に挿入により、検出スイッチの第三の対の電極間が狭まり、抜去により、検出スイッチの第三の対の電極間が拡がる反対の構成も可能であり、この場合は、前例とは反対の動作となる。反対になる構成では、クリップでの構成も反対になるように構成することになるのは勿論である。
一方、特許文献１で示されたクリップ１と同じように、クリップには第一の対の電極があり、クリップを閉じたまま患者の衣服等から外れた場合、または開いて外した場合（尚、いずれか一方のみ検出することも可能であるが、両方が検出できる方がよりよい）にクリップの第一の対の電極は導通するようになっている。そして、このクリップの第一の対の電極が導電ワイヤで各々前記電極付バーの第二の対の電極に繋がっているため、電極付バーがバー挿入口に挿入されている状態で、クリップが外れた場合は電極付バーを通じて検出回路に繋がるナースコール等の警報装置が作動（この図では、検出スイッチ５１３の両端子間の第三の対の電極が接触・導通と等価）し、電極付バーが外れた場合も、検出スイッチ５１３の第三の対の電極５１３Ａ、５１３Ｂが接触・電気的導通するため警報装置が作動し、警報を鳴らすことができる。
【００２１】
図２は、本発明の電極付バーを備えたクリップ式患者動き検出装置の電極付バーを示す図である。
２―Ａにおいて電極付バー１００は、この例では、平板状であり、平板の表面と裏面の両側に導電性の第二の対の電極を有している。これが第二の対の電極１０１であり、これは、図示しないクリップの第一の対の電極と導電ワイヤ５２３により、おのおの電気的に繋がっている。この例では、導電ワイヤ５２３を通す又は結節するための穴状の結節部５０２も示されている。勿論、リングや突起などでもよい。
【００２２】
２―Ｂにおいて、電極付バー１００は、患者動き検出装置の検出スイッチ５１３に挿入される。検出スイッチ５１３は、対になっている板５１７と、前記板５１７の内側にそれぞれ対向して設置される第三の対の電極１０２を有する。第三の対の電極１０２は、それぞれの間に電極付バー１００が嵌るよう差し込むための隙間があるが、この例では、電極付バー１００の非挿入時は互いに接するようなっている。具体的には、第三の対の電極１０２のうち片方をばね板で構成した電極として他方に接触させるようにし、電極付バー１００を第三の対の電極１０２の間に差し込んだ時は、第三の対の電極１０２同士は接触してない状態に離れ、その代わり、電極付バー１００に設けられた第二の対の電極１０１がそれぞれ第三の対の電極１０２に接する。このため、この状態では、第二の対の電極１０１に繋がったクリップの第一の対の電極の接触状態を検知することが可能となる。尚、前にも記述したが、２−Ｂの代わりに２−Ｄのように構成すると、挿入状態では、検出スイッチ５１３の第三の対の電極同士が接触し電気的導通になり、抜去状態では第三の対の電極同士が拡がる状態に構成できる。
尚、電極付バー１００は、２−Ｃのように中芯と柱側面に第二の対の電極を備えた棒状体でも良いことは勿論である。これに応じてバー挿入口や検出スイッチの受け形状が異なるのは当然である。
【００２３】
図１は、本発明の電極付バーを備えたクリップ式患者動き検出装置の一実施態様を示す図である。
図２で示した電極付バーを備えたクリップ式患者動き検出装置の全体が示されている。
１−Ａにおいて、電極付バーを備えたクリップ式患者動き検出装置は、スイッチ回路体５１０とバー患者連結具５２０を備える。
バー患者連結具５２０は、
装着している衣服等の患者の装着物に付けるクリップ２０１と電極付バー１００と導電ワイヤ５２３とを備え、
クリップ２０１は、装着物を挟むための第二平板と第一平板を備えた挟み部を有するクリップ体と、第二平板と第一平板に備えられ、その開閉又は装着物からの外れにより電気的導通・非導通（または、静電容量、磁気量）状態が変わる第一の対の電極（図３で後述する）を備え、
電極付バー１００は、平板状又は棒状の電気絶縁体のバーに電極間隔が固定的かつ互いに絶縁した第二の対の電極１０１を備え、
導電ワイヤ５２３は、第一の対の電極と第二の対の電極１０１とを各々電気的に接続し、
スイッチ回路体は、検出回路とこれを収納する箱型の筐体５１１と、筐体上に設けられ電極付バー１００を挿入又は抜去するためのバー挿入口５１２を備え、検出回路は、検出スイッチ５１３と警報器に接続するための第一コネクタ５１５とを備え、
検出スイッチ５１３は、電極付バー１００の挿入又は抜去により可動し、接近（又は接触）又は離間する２枚の板と板上に備えた第三の対の電極１０２を備え、
バー挿入口５１２の筐体上の位置は、電極付バー１００を挿入した際に、電極付バー１００が検出スイッチ５１３に当接する位置であり、
バー挿入口５１２から電極付バー１００を抜去状態では、検出スイッチ５１３が「バー抜け」に対応する電気的状態を示し、バー挿入口５１２への電極付バー１００の挿入状態では、第二の対の電極１０１が検出スイッチ５１３の第三の対の電極１０２に各々電気的に接続して、第二の対の電極１０１に繋がった第一の対の電極の電気的状態（装着又は外れに対応）の検出を可能としたものである。
この検出スイッチ５１３に直列にこの回路が使用しない状態において回路を切っておくためのメインスイッチ５１４があり、筐体５１１の表面に手動の操作部が配置されているのが使用上好都合である。更に、図のように検出スイッチ５１３とメインスイッチ５１４を含む両端の電極は、第一コネクタ５１５として外部に導出され、親機のナースコール等の警報装置へ至る回路に接続していて、電極付バー１００の挿／抜状態による検出スイッチ５１３の電気的非導通／導通（または逆の構成も可能）状態を検知し警報を鳴らすようになっている。
従って、電極付バー１００がバー挿入口５１２に挿入されている状態では、検出スイッチ５１３の第三の対の電極１０２は電気的非導通のまま、これらが各々電極付バー１００の第二の対の電極１０１に接続して、その結果、クリップ２０１上の第一の対の電極の間の電気的状態を検出することが可能となっている。尚、メインスイッチ５１４は、必ずしもこの場所にあるとは限らず、第一コネクタ５１５から外側にあってもよいし、使用しない場合は、警報装置側で出力を無効にするなどの類似の動作をすることで対処してもよい。
【００２４】
次に、電極付バー１００をバー挿入口５１２に挿入された状態と抜去された状態での検出スイッチ５１３の周りの状況を１−Ｂと１−Ｃで説明する。１−Ｂでは、電極付バー１００が抜去された状態であるが、この例では、検出スイッチ５１３の第三の対の電極１０２の二つの電極間がスイッチ切片で短絡された図示のように、検出スイッチ５１３は電気的導通状態である。ナースコール親機等の警報装置側で警報等がなされる状態である。
一方、１−Ｃでは、電極付バー１００が挿入され、検出スイッチ５１３の第三の対の電極１０２の両端子間は拡がってこの間は分離した状態であるが、検出スイッチ５１３の第三の対の電極１０２の二つの電極間がスイッチ切片で短絡されていず、各々の電極に電極付バー１００の第二の対の電極１０１が電気的に接触して、その結果、矢印の右側に示す等価回路ようにクリップ２０１側の第一の対の電極の状態を検出することが可能となっている。
【００２５】
図３は、患者動き検出装置に用いる電極付クリップの例を示す図である。
クリップ２０１は図３のように、第一平板電極３０２が敷かれた第一平板３０１上の中央部分から係止片３０３が立ち上がっている。係止片３０３には、ツマミ片３０４が回動自在に付いていて、これを回動すると上下に回転可能に動く第二平板３０５が軸支されており、第一平板３０１と第二平板３０５の先端部分は、患者の衣服等の布を挟むための各々突起体３０７Ａ、３０７Ｂを有する挟み部３０７があり、互いに向き合って、これらの面上に対となる各々挟み部電極３０８Ａ、３０８Ｂを設ける。又、突起体３０７Ａ上の挟み部電極３０８Ａは、第一平板電極３０２に繋がっている。
第二平板３０５の先端上部分からは、緩やかな角度で後方に伸びた延伸電極３０６が伸びており、延伸電極３０６は、突起体３０７Ｂ上の挟み部電極３０８Ｂと繋がっている。延伸電極３０６と第一平板電極３０２は、おのおの電極付バーの第二の対の電極に導電ワイヤ５２３により繋がっている。
【００２６】
このような構成において、
ツマミ片３０４を上限まで引き上げた（開いた）ときに、延伸電極３０６の略先端が第一平板電極３０２の高さまで下がりこれと電気的に接触する。
ツマミ片３０４を下ろすことで、第二平板３０５が下りて先端である挟み部３０７に、患者の服を挟み込むことができる。このときは、延伸電極３０６の先端は、第一平板電極３０２に接触していない状態となる。
先ず、電極付バー１００がバー挿入口５１２に挿入された状態で、
ツマミ片３０４を引き上げて患者がクリップを外した場合は第一平板電極３０２と延伸電極３０６が接触して導通し、電極付バー１００を通じてスイッチ回路体に繋がる警報装置が作動する。
ツマミ片３０４を引き上げないままで挟みこんだ状態で、挟み部３０７の突起体３０７Ａ、３０７Ｂが相互に接近しているので、服が挟み部３０７から抜けてしまった場合は、挟み部電極３０８Ａ、３０８Ｂが接触して導通し、電極付バー１００を通じてスイッチ回路体に繋がる警報装置が作動する。
他方、電極付バー１００がバー挿入口５１２から抜けた状態（通常クリップ方式の離床センサーと呼ばれるものは、患者が動いてクリップが引かれ、バーがバー挿入口から抜けると警報が出る）では、検出スイッチ５１３側で作動することは、図５と同じであり、図１においても示した通りである。
尚、挟み部電極３０８Ａとこれに繋がる第一平板電極３０２と、挟み部電極３０８Ｂとこれに繋がる延伸電極３０６の対を総称して第一の対の電極と呼称している。
図３に示すクリップの構成は、特許文献２に出願を行っているクリップであり、その構成の思想を元に一部形状を変えた例である。
【００２７】
尚、今まで例では、検出回路の検出スイッチは、電極付バー１００の挿抜により単純な電気的導通／非導通（主に抜去で導通、挿入で非導通により、クリップ側の状態検出の場合を説明したが、逆の場合も可能であることも示した）を見るものを示したが、バーの引き抜きにより接近する磁気体と磁気センサを検出回路に、電極付バーの挿入状態においては、クリップ側に配置した磁気体と磁気センサ（クリップ片の動きで磁気体が動き磁気センサ出力が変わる）で検出することも出来る。
但し、磁気体と磁気センサを使うことは、電気的導通／非導通の検出スイッチを使うことに比べると、得策ではない。磁気体と磁気センサの場合は、磁気センサとしてホール素子を使うなどをしても配線数が増加し、クリップに搭載するものの大きさ、配線数、工数など不都合点が多いからである。
同様に、電極付バーの引き抜きにより接近（又は離間）することで静電容量が変わるコンデンサセンサ、電極付バーの挿入状態においては、クリップ２０１側に配置した第一の対の電極間の静電容量が変わるコンデンサセンサ（クリップ２０１片の動きで静電容量が変わる）で検出することも出来る。この例は、図４の実施例で説明する。これらは、電極付バー１００により、スイッチ回路体の検出スイッチ５１３とクリップ２０１上のセンサ（第一の対の電極）が接続されていることで可能になっている。
【００２８】
図４は、本発明の電極付バーを備えたクリップ式患者動き検出装置の別の一実施態様を示す図である。
電気的導通／非導通を見る検出スイッチ５１３の代わりに、静電容量が変わるコンデンサセンサを使う例である。クリップにも静電容量が変わるコンデンサセンサを搭載する。
但し、コンデンサは、第一の対の電極と第三の対の電極において、各々において、対の電極間が接触しないで間隔が変わることで静電容量が変わるコンデンサとなるものである。
すなわち、コンデンサセンサは、電極の間隔によって静電容量が異なることを利用する。
検出には、静電容量により発振回路の発振周波数や増幅回路の出力振幅が異なるものが使用される。
図４では、電極付バー１００と検出スイッチ５１３の代わりの平板コンデンサの部分を描いてある。
これに使用するクリップ２０１におけるコンデンサセンサ部は４−Ｃ、４−Ｄに示す。
４−Ａは、電極付バー１００が挿入されている場合であり、４−Ｂは、抜去されている場合である。
検出スイッチ５１３の代わりの平板コンデンサ４１０は、４−Ｂで説明すると、間隔Ｄで相対する2枚の金属板４１１Ａ、４１１Ｂで構成されている。この図では、電極付バー１００が引き抜かれた状態なので、間隔Ｄは小さい状態であり、その静電容量は大きい状態である。回路的には下の図のように大きい静電容量があり、電極付バー１００からクリップ側の静電容量は、電気的には繋がっていないため、回路的には関係がない。
４−Ａにおいて、電極付バー１００がバー挿入口５１２から挿入された状態であり、金属板４１１Ａ、４１１Ｂの間に嵌って、この間を拡げ、間隔Ｄを広げているため、この静電容量は小さくなる。一方互いの電極が電気的に繋がって、この静電容量に並列に電極付バー１００からクリップ２０１側の静電容量が繋がる。そして、その静電容量は、クリップ２０１の装着時には小さく（Ｃ２）、クリップ２０１が外れた時は、大きく（Ｃ３）なる。
【００２９】
４−Ｃ、４−Ｄには、挟み状態（装着）と外し状態のクリップ２０１を示す。クリップ２０１は、図３の接触式のものに比べると第一の対の電極は電気的に接触してはならないので、近づいた場合も接触はしないか、電極上に備えた絶縁膜で隔てられている必要があり、静電容量を大きくするため電極の面積の大きさが要求される。従って、接触式に比べ小型化の観点では不利である。４−Ｄで、クリップ２０１のツマミ片３０４を起こした状態では、クリップのツマミ片３０４より右に伸びた延伸電極３０６側が第一平板３０１との間で狭い間隔になっており、この部分で静電容量が大きい。又、ツマミ片３０４より左に伸びた第二平板３０５の挟み部電極３０８Ｂは、第一平板３０１との間で広い間隔になっている。両方の静電容量が並列接続になる。並列の静電容量は合算値になるため、結果的に大きい延伸電極３０６側の静電容量が検出される。
一方、４−Ｃでは、ツマミ片３０４が倒した状態で、クリップを取り付けた状態にある。従って、第二平板３０５は、第一平板３０１に近づいている。延伸電極３０６は、第一平板３０１の間で広い間隔になっているので、この間の静電容量は小さい。一方、第二平板３０５は、第一平板３０１の間で狭い間隔になっており、この部分の挟み部電極３０８Ａ，３０８Ｂ間で静電容量が大きい。第二平板３０５は、第一平板３０１の間に衣服の布が挟まった状態では、電極間隔が広がるので、静電容量は大きくならず小さい、従って、衣服についたままでは、小さい静電容量が並列についた状態である。この状態が正常状態であり、静電容量は一番小さい。
ところが、衣服の布が抜けた状態では、４−Ｃの状態のように第二平板３０５と第一平板３０１の電極間隔が狭くなるので、静電容量が大きくなり、大きい静電容量と小さい静電容量が並列についた状態となり、並列の実効の静電容量が大きくなり、衣服から外れたことが分かる。このように、このクリップでは、クリップをツマミ片３０４を開いて外した状態（静電容量大）と、ツマミ片３０４を装着状態のまま引き抜いた状態（静電容量大）と更には、電極付バー１００を抜いた状態（静電容量大）の３つの状態で静電容量が大きくなって異常であることを検出できる。尚、反対に、電極付バー１００が抜けてない状態で、クリップが衣服から外れてない状態の正常状態では、並列の実効の静電容量が小さい。
【００３０】
尚、電極付バー１００を挿入しやすいように、電極付バーの先端に傾斜を設けたり、逆に検出スイッチ５１３側の受け側に傾斜開きのある受けを設けると、円滑に挿入が出来る。
【００３１】
本発明の構成により、図５に示される特許文献１の装置に対して、第二コネクタ５１６や、第二コネクタ５１６とクリップ５２１を繋ぐコード類のうち、第二コネクタ５１６に繋がる部分を省くことができるため、装置の構造を簡略化できる。且つ接続が無いので接触不良などの不都合が回避できる。
尚、第一の対の電極、第二の対の電極、第三の対の電極において、対の電極間は接触してない状態では電気的に絶縁状態にあることは、当然である。
【産業上の利用可能性】
【００３２】
以上のように構成されているため、本発明の電極付バーを備えたクリップ式患者動き検出装置は、コネクタを介した電気的接続が無いので接触不良などの不都合が回避でき、導電ワイヤが少なくなるなど簡単な構造で、患者動き検出装置のバーの引き抜きとクリップの外れの両方に対応でき、患者の使用が容易になるため、産業上利用性が極めて大きい。
【符号の説明】
【００３３】
１００  電極付バー
１０１  第二の対の電極
１０２  第三の対の電極
２０１  クリップ
３０１  第一平板
３０２  第一平板電極
３０３  係止片
３０４  ツマミ片
３０５  第二平板
３０６  延伸電極
３０７  挟み部
３０７Ａ、３０７Ｂ  突起体
３０８Ａ、３０８Ｂ  挟み部電極
４１０  平板コンデンサ
４１１Ａ、４１１Ｂ  金属板  
５００  患者動き検出装置
５０１  バー
５０２  結節部
５１０  スイッチ回路体
５１１  筐体
５１２  バー挿入口
５１３  検出スイッチ
５１４  メインスイッチ
５１５  第一コネクタ
５１６  第二コネクタ
５１７  板
５１８  ばね板
５１９  対の電極
５２０  バー患者連結具
５２１  クリップ
５２２  紐
５２３  導電ワイヤ
【図１】
0005849322.tif 000002
【図２】
0005849322.tif 000003
【図３】
0005849322.tif 000004
【図４】
0005849322.tif 000005
【図５】
0005849322.tif 000006